(57)【要約】【課題】本発明の課題は、空調対象室の騒音値が騒音規制値をクリアしていた場合、省略できる消音エレメントを提示し、コストダウンのために不必要な消音エレメントを取り除く設計を支援する省略可能な消音エレメント提示装置を提供することにある。【解決手段】本発明は、入力された初期プランの各空調・換気ダクト系統について、空調・換気対象室の合成騒音値が騒音規制値を超えていない場合、最も音圧レベルの高い空調・換気ダクト系統に対し、隣り合うエレメントの比較計算をダクトの下流側から上流側に向けて行い、下流側のエレメントのパワーレベルの方が大きい場合の下流エレメントと、当該エレメントよりダクトの上流側へサーチし、当該エレメントのパワーレベルよりも、パワーレベルが高くなるエレメントの一つ上流側のエレメントとの間の消音エレメントを削除した空調・換気ダクト系統について、空調・換気対象室の合成騒音値が騒音規制値を超えていない場合を検出するものである。【選択図】図２
2006215660.tif 000002
【特許請求の範囲】
【請求項１】
初期プランの各空調・換気ダクト系統のフロー図を入力する第１の手段と、
前記第１の手段で入力された初期プランの各空調・換気ダクト系統について、空調・換気対象室の騒音値計算を実施し、合成騒音値が騒音規制値を超えていない場合、最も音圧レベルの高い空調・換気ダクト系統を求める第２の手段と、
前記第２の手段で求めた最も音圧レベルの高い空調・換気ダクト系統に対し、隣り合うエレメントの比較計算をダクトの下流側から上流側に向けて行い、下流側のエレメントのパワーレベルの方が大きい場合に下流エレメントを検出する第３の手段と、
前記第３の手段で検出したエレメントよりダクトの上流側へサーチし、前記第３の手段で検出したエレメントのパワーレベルよりも、パワーレベルが高くなるエレメントの一つ上流側のエレメントを検出する第４の手段と、
前記第３の手段で検出したエレメントと前記第４の手段で検出したエレメント間の消音エレメントを削除した空調・換気ダクト系統について、空調・換気対象室の騒音値計算を実施し、合成騒音値が騒音規制値を超えていない場合の消音計算表とＮＣ曲線のグラフを表示する第５の手段と
を具備することを特徴とする省略可能な消音エレメント提示装置。
【請求項２】
初期プランの各空調・換気ダクト系統のフロー図を入力する第１の手段と、
前記第１の手段で入力された初期プランの各空調・換気ダクト系統について、空調・換気対象室の騒音値計算を実施し、合成騒音値が騒音規制値を超えていない場合、最も音圧レベルの高い空調・換気ダクト系統を求める第２の手段と、
前記第２の手段で求めた最も音圧レベルの高い空調・換気ダクト系統に対し、隣り合うエレメントの比較計算をダクトの下流側から上流側に向けて行い、下流側のエレメントのパワーレベルの方が大きい場合に下流エレメントを検出する第３の手段と、
前記第３の手段で検出したエレメントよりダクトの上流側へサーチし、前記第３の手段で検出したエレメントのパワーレベルよりも、パワーレベルが高くなるエレメントの一つ上流側のエレメントを検出する第４の手段と、
前記第３の手段で検出したエレメントと前記第４の手段で検出したエレメント間の消音エレメントを削除した空調・換気ダクト系統について、空調・換気対象室の騒音値計算を実施し、合成騒音値が騒音規制値を超えていた場合に削除した消音エレメントを元に戻す第５の手段と
を具備することを特徴とする省略可能な消音エレメント提示装置。
【発明の詳細な説明】
【技術分野】
【０００１】
本発明は、空調（給気・還気）ダクト系統あるいは換気（給気・排気）ダクト系統の設計を支援する装置に係り、特に空調ダクト系統あるいは換気ダクト系統における省略可能な消音エレメントを提示する省略可能な消音エレメント提示装置に関するものである。
【背景技術】
【０００２】
従来、空気調和設備設計技術として、ダクト系統から放射される騒音パワーレベルを計算する空調ダクト系統の消音計算装置がある（例えば、特許文献１参照。）。
【０００３】
前記消音計算装置は、コンピュータを利用して、ダクト系統から放射される騒音パワーレベルを計算するもので、ダクト系統の途中のエレメントによる２次気流音が気流上流側に影響することを計算に含めることにより、より正確な騒音計算を行うものである。
【特許文献１】特許第３４１２７１８号公報
【発明の開示】
【発明が解決しようとする課題】
【０００４】
本発明の目的は、空調対象室の騒音値が騒音規制値をクリアしていた場合、省略できる消音エレメントを提示し、コストダウンのために必要のない消音エレメントを取り除く設計を支援する省略可能な消音エレメント提示装置を提供することにある。
【課題を解決するための手段】
【０００５】
上記目的を達成するために本発明の省略可能な消音エレメント提示装置は、初期プランの各空調・換気ダクト系統のフロー図を入力する第１の手段と、前記第１の手段で入力された初期プランの各空調・換気ダクト系統について、空調・換気対象室の騒音値計算を実施し、各空調・換気ダクト系統の騒音値を合成した合成騒音値が、騒音規制値を超えていない場合、最も音圧レベルの高い空調・換気ダクト系統を求める第２の手段と、前記第２の手段で求めた最も音圧レベルの高い空調・換気ダクト系統に対し、隣り合うエレメントの比較計算をダクトの下流側から上流側に向けて行い、下流側のエレメントのパワーレベルの方が大きい場合に下流エレメントを検出する第３の手段と、前記第３の手段で検出したエレメントよりダクトの上流側へサーチし、前記第３の手段で検出したエレメントのパワーレベルよりも、パワーレベルが高くなるエレメントの一つ上流側のエレメントを検出する第４の手段と、前記第３の手段で検出したエレメントと前記第４の手段で検出したエレメント間の消音エレメントを削除した空調・換気ダクト系統について、空調・換気対象室の騒音値計算を実施し、各空調・換気ダクト系統の騒音値を合成した合成騒音値が、騒音規制値を超えていない場合の消音計算表とＮＣ曲線のグラフを表示する第５の手段とを具備することを特徴とするものである。
【０００６】
また、本発明の省略可能な消音エレメント提示装置は、初期プランの各空調・換気ダクト系統のフロー図を入力する第１の手段と、前記第１の手段で入力された初期プランの各空調・換気ダクト系統について、空調・換気対象室の騒音値計算を実施し、各空調・換気ダクト系統の騒音値を合成した合成騒音値が、騒音規制値を超えていない場合、最も音圧レベルの高い空調・換気ダクト系統を求める第２の手段と、前記第２の手段で求めた最も音圧レベルの高い空調・換気ダクト系統に対し、隣り合うエレメントの比較計算をダクトの下流側から上流側に向けて行い、下流側のエレメントのパワーレベルの方が大きい場合に下流エレメントを検出する第３の手段と、前記第３の手段で検出したエレメントよりダクトの上流側へサーチし、前記第３の手段で検出したエレメントのパワーレベルよりも、パワーレベルが高くなるエレメントの一つ上流側のエレメントを検出する第４の手段と、前記第３の手段で検出したエレメントと前記第４の手段で検出したエレメント間の消音エレメントを削除した空調・換気ダクト系統について、空調・換気対象室の騒音値計算を実施し、各空調・換気ダクト系統の騒音値を合成した合成騒音値が、騒音規制値を超えていた場合に削除した消音エレメントを元に戻す第５の手段とを具備することを特徴とするものである。
【発明の効果】
【０００７】
本発明の省略可能な消音エレメント提示装置は、省略できる消音エレメントを提示し、コストダウンのために必要のない消音エレメントを取り除く設計を支援するもので、不必要の可能性のあるエレメントを提示し、該当エレメントを取り除いた条件で再演算を行い、消音エレメントを取り除いても合成騒音値が騒音規制値であることを確認するものである。
【発明を実施するための最良の形態】
【０００８】
以下図面を参照して本発明の実施の形態例を詳細に説明する。
【０００９】
図１は本発明の実施形態例に係る省略可能な消音エレメント提示装置を示す構成説明図である。図１に示すように、省略可能な消音エレメント提示装置はコンピュータにより構成される。すなわち、マウス１１、キーボード１２、ディスプレイ１３、プリンタ１４、ＨＤＤ１５、およびＭＯ等の外部メディア１６がユーザーインターフェース（Ｕ／Ｉ）１７に接続される。前記ユーザーインターフェース１７には入力設定部１８、表示出力部１９、モデルジェネレータ２０及び判定処理部２１を含む演算処理部（ＣＰＵ）２２、および、建築構造体情報データベース（ＤＢ）２３及び物性情報データベース（ＤＢ）２４及びエレメント情報データベース（ＤＢ）２５を含むＲＡＭ及びＲＯＭよりなる記憶部２６が接続される。
【００１０】
前記入力設定部１８は入力画面を表示するプログラムを記憶部２６から読み出し、各空調・換気ダクト系統のフロー図を作成するための入力画面をＧＵＩ（Ｇｒａｐｈｉｃａｌ  Ｕｓｅｒ  Ｉｎｔｅｒｆａｃｅ）によってディスプレイ１３に表示するもので、前記入力画面には各空調・換気ダクト系統を構成する例えば空調機、消音チャンバ、消音器、ダンパ、消音エルボ等の各エレメントのシンボルマークが表示されると共にサイズ、風量等のデータ入力を可能にしている。前記表示出力部１９は出力画面を表示するプログラムを記憶部２６から読み出し、各空調・換気ダクト系統のフロー図、各空調・換気ダクト系統を構成する各エレメントの消音計算をした消音計算表、ＮＣ曲線等の出力画面をディスプレイ１３に表示する。前記モデルジェネレータ２０はフロー図作成プログラムを記憶部２６から読み出し、各空調・換気ダクト系統のフロー図を作成する。前記判定処理部２１は判定プログラムを記憶部２６から読み出し、空調・換気対象室の合成騒音値が騒音規制値をクリアしているか否かを判定し、クリアしていない場合は、問題箇所を表示する。前記建築構造体情報データベース（ＤＢ）２３には建築構造体のデータが収納されている。前記物性情報データベース（ＤＢ）２４にはＮＣ曲線データ、内装材の吸音データ、遮音データ、およびダンパ開度による音量変化のデータ等が収納されている。前記エレメント情報データベース（ＤＢ）２５にはエレメント特性データ、エレメントのコストデータ、およびエレメントのメンテナンスデータ等が記憶されている。
【００１１】
図２は本発明の実施形態例に係る省略可能な消音エレメント提示装置の動作を示すフローチャートである。先ず、ステップＳ１において、初期プランの各空調・換気ダクト系統のフロー図を入力する。すなわち、モデルジェネレータ２０でフロー図作成プログラムを記憶部２６から読み出すと共に、入力設定部１８によってディスプレイ１３に表示された入力画面を用いて、入力画面に表示された各空調・換気ダクト系統を構成する各エレメントのシンボルマークをマウス１１でドラッグ＆ドロップして移動し、且つキーボード１２で数値、文字を入力することにより、前記フロー図作成プログラムにしたがって初期プランの各空調・換気ダクト系統のフロー図を入力する。一例として図３は空調の給気ダクト系統のフロー図である。このようにして入力された初期プランの各空調・換気ダクト系統のフロー図は記憶部２６に記憶されると共に、表示出力部１９によりディスプレイ１３に表示される。
【００１２】
次に、ステップＳ２において、演算処理部（ＣＰＵ）２２は空調・換気対象室の騒音値計算を実施する。すなわち、演算処理部（ＣＰＵ）２２は記憶部２６のＲＯＭから消音計算表プログラムを読み出し、記憶部２６のエレメント情報データベース（ＤＢ）２５からエレメント特性データを読み出して記憶部２６に記憶されている初期プランの各空調・換気ダクト系統のフロー図に沿って消音計算をして消音計算表を作成して記憶部２６のＲＡＭに記憶すると共に、表示出力部１９によりディスプレイ１３に表示される。前記演算処理部（ＣＰＵ）２２は記憶部２６のＲＯＭからＮＣ曲線作成プログラムを読み出し、前記消音計算表の数値を用いてＮＣ曲線のグラフを作成して記憶部２６のＲＡＭに記憶すると共に、表示出力部１９によりディスプレイ１３に表示される。前記ＮＣ曲線のグラフには初期プランの各空調・換気ダクト系統の騒音値を合成した合成騒音値が表示されると共に空調・換気対象室の騒音規制値が表示される。前記判定処理部２１は判定プログラムを記憶部２６から読み出し、前記合成騒音値が前記騒音規制値を超えているか否かを判定し、クリアしている場合はステップＳ３に移る。
【００１３】
次に、ステップＳ３において、前記判定処理部２１は、ステップＳ２において求めた消音計算表の中より、最も音圧レベルの高い空調（給気・還気）ダクト系統あるいは換気（給気・排気）ダクト系統を求める。
【００１４】
次に、ステップＳ４において、ステップＳ３で求めた最も音圧レベルの高い空調・換気ダクト系統が例えば第３図に示すような空調の給気ダクト系統であった場合、前記演算処理部（ＣＰＵ）２２は、記憶部２６のＲＯＭからグラフ作成プログラムを読み出し、図４（ａ）に示すような空調の給気ダクト系統の各エレメントに対するパワーレベル（ｄＢ）と対象室内における音圧レベル（ｄＢ）のグラフを作成して記憶部２６のＲＡＭに記憶すると共に、表示出力部１９によりディスプレイ１３に表示される。前記演算処理部（ＣＰＵ）２２は図４（ａ）のグラフにおいて、隣り合うエレメントの比較計算をダクトの下流側から上流側に向けて行い、下流側のエレメントのパワーレベルの方が大きい場合（グラフの右上がり箇所）の下流エレメントである、例えばダンパＥ１を検出した場合はステップＳ５に移る。
【００１５】
ステップＳ５において、前記演算処理部（ＣＰＵ）２２はステップＳ４で検出したエレメントのダンパＥ１よりダクトの上流側へサーチし、パワーレベルが大きくなるエレメントのダンパＥ２の一つ上流側のエレメントである直管ダクトＥ３を検出する。
【００１６】
次に、ステップＳ６において、前記演算処理部（ＣＰＵ）２２はステップＳ４で検出したエレメントのダンパＥ１とステップＳ５で検出したエレメントの直管ダクトＥ３間において消音エレメントの消音エルボＥ４，Ｅ５を検出する。
【００１７】
次に、ステップＳ７において、前記演算処理部（ＣＰＵ）２２は図３の初期プランの空調の給気ダクト系統のフロー図より、ステップＳ６で検出した消音エルボＥ４を削除し、空調・換気対象室の騒音値計算を実施する。
【００１８】
次に、ステップＳ８において、前記演算処理部（ＣＰＵ）２２はステップＳ７の騒音値計算の結果、空調の給気ダクト系統の対象室内における音圧レベルが騒音規制値を超えていた場合には、ステップＳ９に移る。
【００１９】
ステップＳ９において、前記演算処理部（ＣＰＵ）２２はステップＳ７で削除した消音エルボＥ４を空調の給気ダクト系統のフロー図に戻し、初期プランの空調の給気ダクト系統のフロー図にして、ステップＳ７に移る。
【００２０】
ステップＳ７において、前記演算処理部（ＣＰＵ）２２は初期プランの空調の給気ダクト系統のフロー図より、ステップＳ６で検出した消音エルボＥ５を削除し、空調・換気対象室の騒音値計算を実施する。
【００２１】
次に、ステップＳ８において、前記演算処理部（ＣＰＵ）２２はステップＳ７の騒音値計算の結果、空調の給気ダクト系統の対象室内における音圧レベルが騒音規制値を超えていなかった場合には、ステップＳ１０に移る。
【００２２】
ステップＳ１０において、前記演算処理部（ＣＰＵ）２２は、記憶部２６のＲＯＭからグラフ作成プログラムを読み出し、図４（ｂ）に示すような消音エルボＥ５を削除した空調の給気ダクト系統の各エレメントに対するパワーレベル（ｄＢ）と対象室内における音圧レベル（ｄＢ）のグラフを作成して記憶部２６のＲＡＭに記憶すると共に、表示出力部１９によりディスプレイ１３に表示される。
【００２３】
前記ステップＳ２において合成騒音値が騒音規制値を超えていた場合、および前記ステップＳ４において図４（ａ）のグラフにおいて、隣り合うエレメントの比較計算をダクトの下流側から上流側に向けて行い、下流側のエレメントのパワーレベルの方が大きい場合を検出しなかった場合には、表示出力部１９を介して消音計算表およびＮＣ曲線のグラフをユーザーインターフェース（Ｕ／Ｉ）１７を介してディスプレイ１３に表示し、且つプリンタ１４で印刷して終了する。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。
【図面の簡単な説明】
【００２５】
【図１】本発明の実施形態例に係る省略可能な消音エレメント提示装置を示す構成説明図である。
【図２】本発明の実施形態例に係る省略可能な消音エレメント提示装置の動作を示すフローチャートである。
【図３】本発明の実施形態例に用いる空調の給気ダクト系統を示すフロー図である。
【図４】（ａ），（ｂ）は本発明の実施形態例に用いる空調の給気ダクト系統の各エレメントに対するパワーレベル（ｄＢ）と対象室内における音圧レベル（ｄＢ）のグラフを示す説明図である。
【符号の説明】
【００２６】
１１…マウス、１２…キーボード、１３…ディスプレイ、１４…プリンタ、１５…ＨＤＤ、１６…ＭＯ等の外部メディア、１７…ユーザーインターフェース、１８…入力設定部、１９…表示出力部、２０…モデルジェネレータ、２１…判定処理部、２２…演算処理部（ＣＰＵ）、２３…建築構造体情報データベース（ＤＢ）、２４…物性情報データベース（ＤＢ）、２５…エレメント情報データベース（ＤＢ）、２６…記憶部。
【図１】
2006215660.tif 000003
【図２】
2006215660.tif 000004
【図３】
2006215660.tif 000005
【図４】
2006215660.tif 000006